(57)【要約】  クロスコネクト部は、複数の多重部の何れか１つが故障した場合、収容部が生成した収容フレームのうち、種別が、故障した多重部の識別情報に関連付けて記憶部が記憶する収容フレームの種別と合致するものを、予備多重部に出力する。
2012036027.tif 000002
【特許請求の範囲】
【請求項１】
複数のクライアント信号をＯＤＵフレームに多重して他の装置に送信する伝送装置であって、
入力したクライアント信号をペイロード部分に収容し、所定の形式のＯＤＵフレームである収容フレームを生成する収容部と、
前記収容部が入力したクライアント信号の種別に関連付けて、当該クライアント信号を時分割多重させる多重部の識別情報を記憶する記憶部と、
前記収容部が生成した収容フレームを、前記記憶部が当該収容フレームの形式に関連付けて記憶する識別情報が示す前記多重部に出力するクロスコネクト部と、
前記クロスコネクト部から入力された収容フレームを所定の形式のＯＤＵフレームである伝送フレームに時分割多重する複数の前記多重部と、
前記多重部が多重した伝送フレームを他の装置に送信する伝送フレーム送信部と、
前記多重部の何れか１つが故障した場合に、前記クロスコネクト部から入力された収容フレームを所定の形式の伝送フレームに時分割多重する予備多重部と、
前記予備多重部が多重した伝送フレームを他の装置に送信する予備伝送フレーム送信部と、
を備え、
前記クロスコネクト部は、前記多重部の何れか１つが故障した場合、前記収容部が生成した収容フレームのうち、形式が、前記故障した多重部の識別情報に関連付けて前記記憶部が記憶する収容フレームの形式と合致するものを、前記予備多重部に出力する、
伝送装置。
【請求項２】
前記収容部は、複数の形式の収容フレームのうち、前記クライアント信号の伝送速度に最も近く、かつ当該伝送速度以上のペイロード容量を有する形式の収容フレームを生成する、
請求項１に記載の伝送装置。
【請求項３】
前記多重部は、
前記クロスコネクト部から入力する収容フレームのペイロード容量毎に、当該ペイロード容量を有する収容フレームを前記伝送フレームに時分割多重する際に必要なオーバーヘッドを前記収容フレームに付加するオーバーヘッド付加部を備え、
前記予備多重部は、
前記収容部が生成する収容フレームのペイロード容量毎に、当該ペイロード容量を有する収容フレームを前記伝送フレームに時分割多重する際に必要なオーバーヘッドを前記収容フレームに付加するオーバーヘッド付加部を備える、
請求項２に記載の伝送装置。
【請求項４】
クライアント信号の種別毎に、当該クライアント信号が収容されたＯＤＵフレームである収容フレームを時分割多重する多重部の識別情報を記憶する記憶部を備え、前記クライアント信号を多重して他の装置に送信する伝送装置を用いた伝送方法であって、
収容部は、入力したクライアント信号をペイロード部分に収容した、所定の形式の収容フレームを生成し、
クロスコネクト部は、前記収容部が生成した収容フレームを、前記記憶部が当該収容フレームの形式に関連付けて記憶する識別情報が示す前記多重部に出力し、
複数の前記多重部は、それぞれ前記クロスコネクト部から入力された収容フレームを所定の形式のＯＤＵフレームである伝送フレームに時分割多重し、
伝送フレーム送信部は、前記多重部が多重した伝送フレームを他の装置に送信し、
前記多重部の何れか１つが故障した場合、
前記クロスコネクト部は、前記収容部が生成した収容フレームのうち、形式が、前記故障した多重部の識別情報に関連付けて前記記憶部が記憶する収容フレームの形式と合致するものを、予備多重部に出力し、
前記予備多重部は、前記クロスコネクト部から入力された収容フレームを、所定の伝送フレームのペイロード部分に時分割多重し、
予備伝送フレーム送信部は、前記予備多重部が多重した伝送フレームを他の装置に送信する、
伝送方法。
【請求項５】
複数のクライアント信号をＯＤＵフレームに多重して他の装置に伝送する伝送装置を、
入力したクライアント信号をペイロード部分に収容した、所定の形式のＯＤＵフレームである収容フレームを生成する収容部、
所定の形式の伝送フレームに前記収容部が生成した収容フレームを時分割多重する複数の多重部、
前記多重部が多重した伝送フレームを他の装置に送信する伝送フレーム送信部、
前記収容部が生成した収容フレームを、記憶部が当該収容フレームの形式に関連付けて記憶する識別情報が示す前記多重部に出力するクロスコネクト部、
前記多重部の何れか１つが故障した場合に、前記収容部によってクライアント信号を収容された収容フレームを、ＯＤＵフレームである所定の伝送フレームのペイロード部分に時分割多重する予備多重部、
前記予備多重部が多重した伝送フレームを他の装置に送信する予備伝送フレーム送信部
として機能させ、
前記クロスコネクト部は、前記多重部の何れか１つが故障した場合、前記収容部が生成した収容フレームのうち、形式が、前記故障した多重部の識別情報に関連付けて前記記憶部が記憶する収容フレームの形式と合致するものを、前記予備多重部に出力する、
プログラム。
【発明の詳細な説明】
【技術分野】
【０００１】
本発明は、複数のクライアント信号を他の装置に伝送する伝送装置、伝送方法、及びプログラムに関する。
【背景技術】
【０００２】
ＯＴＮ（Ｏｐｔｉｃａｌ  Ｔｒａｎｓｐｏｒｔ  Ｎｅｔｗｏｒｋ）伝送方式のＯＴＮハイアラキでは、様々な多重階梯が定義されている。伝送装置は、これら様々な多重階梯に対応できるものであることが望まれる。伝送装置のインタフェースのそれぞれに、異なる多重階梯を選択する機能を備えさせる場合、インタフェースのそれぞれが、異なるＯＤＵ（Ｏｐｔｉｃａｌ  Ｄａｔａ  Ｕｎｉｔ）フレーム毎の通信速度を周波数再生するためのクロック回路、多重階梯毎の多重分離回路、及びスタッフ回路を備える必要がある。特にＯＴＮ通信方式では、ＯＤＵフレーム毎に通信周波数が微妙に異なる（非同期通信）ため、オシレータＰＬＬ（Ｐｈａｓｅ  Ｌｏｃｋｅｄ  Ｌｏｏｐ）回路を別々に備える必要がある。このため、異なる多重階梯を選択する機能を有する伝送装置は、回路が複雑となり、伝送装置のコスト及び消費電力が増大してしまうという問題がある。
そのため、一般的な伝送装置は、予め定められた多重階梯に対する回路のみをそれぞれのインタフェースに備えることで、回路量を削減している。【０００３】
また、伝送装置は、現用のインタフェースの故障に対応するために、予備のインタフェースを備え、現用のインタフェースの故障時に予備のインタフェースに切り替える通信路切替制御を行うことが望ましい。
一般的な伝送装置は、以下に示す処理を行うことで、通信路切替制御を実施している。
伝送装置は、現用インタフェースのそれぞれに対応する予備インタフェースを備え、切替元の伝送装置と切替先の伝送装置との通信制御状態が合致するよう制御する。また、切替元の伝送装置は、１つのクライアント信号を複数の同一信号に複製し、これを現用インタフェース及び予備インタフェースに出力し、切替先の伝送装置は、現用系と予備系の何れのインタフェースが受信した信号を利用するか選択する。【０００４】
また、特許文献１には、複数種別のクライアント信号を特定の形式のフレームにマッピングし、当該信号を時分割多重することで経路切替を行う技術が開示されている。
また、特許文献２には、複数種別のクライアント信号のビットレートをデジタルフレームに収容可能なビットレート範囲にする技術が開示されている。
【先行技術文献】
【特許文献】
【０００５】
【特許文献１】特開２００８−１１３３４４号公報
【特許文献２】特開２００８−１７７７７３号公報
【発明の概要】
【発明が解決しようとする課題】
【０００６】
しかしながら、上述したような通信路切替制御手法を適用する場合、現用インタフェース１つに対して少なくとも１つの予備インタフェースを備える必要がある。そのため、伝送装置が備える予備インタフェースの数が多くなり、伝送装置のコスト及び消費電力が増大してしまうという問題があった。
【課題を解決するための手段】
【０００７】
本発明は上記の課題を解決するためになされたものであり、複数のクライアント信号をＯＤＵフレームに多重して他の装置に送信する伝送装置であって、入力したクライアント信号をペイロード部分に収容した、所定の形式のＯＤＵフレームである収容フレームを生成する収容部と、前記収容部が入力したクライアント信号の種別に関連付けて、当該クライアント信号を時分割多重させる多重部の識別情報を記憶する記憶部と、前記収容部が生成した収容フレームを、前記記憶部が当該収容フレームの形式に関連付けて記憶する識別情報が示す前記多重部に出力するクロスコネクト部と、前記クロスコネクト部から入力された収容フレームを所定の形式のＯＤＵフレームである伝送フレームに時分割多重する複数の前記多重部と、前記多重部が多重した伝送フレームを他の装置に送信する伝送フレーム送信部と、前記多重部の何れか１つが故障した場合に、前記クロスコネクト部から入力された収容フレームを所定の形式の伝送フレームに時分割多重する予備多重部と、前記予備多重部が多重した伝送フレームを他の装置に送信する予備伝送フレーム送信部と、を備え、前記クロスコネクト部は、前記多重部の何れか１つが故障した場合、前記収容部が生成した収容フレームのうち、形式が、前記故障した多重部の識別情報に関連付けて前記記憶部が記憶する収容フレームの形式と合致するものを、前記予備多重部に出力することを特徴とする。【０００８】
また、本発明は、クライアント信号の種別毎に、当該クライアント信号が収容されたＯＤＵフレームである収容フレームを時分割多重する多重部の識別情報を記憶する記憶部を備え、前記クライアント信号を多重して他の装置に送信する伝送装置を用いた伝送方法であって、収容部は、入力したクライアント信号をペイロード部分に収容した、所定の形式の収容フレームを生成し、クロスコネクト部は、前記収容部が生成した収容フレームを、前記記憶部が当該収容フレームの形式に関連付けて記憶する識別情報が示す前記多重部に出力し、複数の前記多重部は、それぞれ前記クロスコネクト部から入力された収容フレームを所定のＯＤＵフレームである伝送フレームに時分割多重し、伝送フレーム送信部は、前記多重部が多重した伝送フレームを他の装置に送信し、前記多重部の何れか１つが故障した場合、前記クロスコネクト部は、前記収容部が生成した収容フレームのうち、形式が、前記故障した多重部の識別情報に関連付けて前記記憶部が記憶する収容フレームの形式と合致するものを、予備多重部に出力し、前記予備多重部は、前記クロスコネクト部から入力された収容フレームを、所定の伝送フレームのペイロード部分に時分割多重し、予備伝送フレーム送信部は、前記予備多重部が多重した伝送フレームを他の装置に送信する、ことを特徴とする。【０００９】
また、本発明は、複数のクライアント信号を多重して他の装置に伝送する伝送装置を、入力したクライアント信号をペイロード部分に収容した、所定の形式のＯＤＵフレームである収容フレームを生成する収容部、所定の形式の伝送フレームに前記収容部が生成した収容フレームを時分割多重する複数の多重部、前記多重部が多重した伝送フレームを他の装置に送信する伝送フレーム送信部、前記収容部が生成した収容フレームを、記憶部が当該収容フレームの形式に関連付けて記憶する識別情報が示す前記多重部に出力するクロスコネクト部、前記多重部の何れか１つが故障した場合に、前記収容部によってクライアント信号を収容された収容フレームを、ＯＤＵフレームである所定の伝送フレームのペイロード部分に時分割多重する予備多重部、前記予備多重部が多重した伝送フレームを他の装置に送信する予備伝送フレーム送信部として機能させ、前記クロスコネクト部は、前記多重部の何れか１つが故障した場合、前記収容部が生成した収容フレームのうち、形式が、前記故障した多重部の識別情報に関連付けて前記記憶部が記憶する収容フレームの形式と合致するものを、前記予備多重部に出力することを特徴とするプログラムである。
【発明の効果】
【００１０】
以上説明したように、本発明によれば、出力する複数のデータと、複数のデータのそれぞれに関連する値とを対応付けて記憶し、複数のデータに対応付けられた値の範囲から特定の値の選択を受付けるスライダーバーを表示部に表示させ、表示部に表示されたスライダーバーにより選択される値の入力を受付け、入力部によって入力された値に対応するデータを読出して出力部に出力させるようにしたので、複数件のデータから特定のデータを簡単に選択することを可能とするデータ出力制御装置、データ出力制御方法を提供することができる。
【図面の簡単な説明】
【００１１】
【図１】本発明の一実施形態による伝送装置を備える伝送システムの構成を示す概略ブロック図である。
【図２】本発明の一実施形態による伝送装置の構成を示す概略ブロック図である。
【図３】記憶部が記憶するテーブルの一例を示す図である。
【図４】システム側予備インタフェース部の構成を示す概略ブロック図である。
【図５】伝送路に障害がない場合における伝送システムの動作を示すシーケンス図である。
【図６】伝送路に障害が発生したときの伝送システムの動作を示すフローチャートである。
【図７】伝送路に障害が発生した後の伝送システムの動作を示すシーケンス図である。
【発明を実施するための形態】
【００１２】
以下、図面を参照しながら本発明の実施形態について詳しく説明する。
図１は、本発明の一実施形態による伝送装置を備える伝送システムの構成を示す概略ブロック図である。
伝送システムは、一方のクライアント装置群から受信したクライアント信号を、他方のクライアント装置群に送信するシステムである。伝送システムは、光通信路で接続された１対の伝送装置１０−１および１０−２（以下、伝送装置１０−１および１０−２を総称する場合は、伝送装置１０と表記する）を備え、伝送装置１０−１は一方のクライアント装置群に接続され、伝送装置１０−２は他方のクライアント装置群に接続される。
【００１３】
伝送装置１０は、複数のクライアント側インタフェース部１１、クロスコネクト部１２、複数のシステム側インタフェース部１３、システム側予備インタフェース部１４、切替制御部１５を備えている。
クライアント側インタフェース部１１は、一方のクライアント装置からクライアント信号（例えば、Ｅｔｈｅｒｎｅｔ（登録商標）信号やＳＴＭ信号など）を受信する。、クライアント側インタフェース部１１は、受信したクライアント信号をこれに対応するＯＤＵフレーム（以下、収容フレームと呼ぶ）に収容してクロスコネクト部１２に出力する。また、クライアント側インタフェース部１１は、クロスコネクト部１２から入力された収容フレームからクライアント信号を再現し、再現されたクライアント信号をクライアント装置に送信する。
クロスコネクト部１２は、切替制御部１５が記憶する情報に基づいて、クライアント側インタフェース部１１とシステム側インタフェース部１３との間で、収容フレームの転送処理を行う。
【００１４】
システム側インタフェース部１３は、クロスコネクト部１２から入力された複数の収容フレームを、より高速なＯＤＵフレーム（以下、伝送フレームと呼ぶ）に多重して対向する他方の伝送装置１０に伝送する。また、他方の伝送装置１０のシステム側インタフェース部１３は、対向する伝送装置１０から伝送された伝送フレームのペイロード部分から複数の収容フレームを読み出し、それぞれをクロスコネクト部１２に出力する。なお、本実施形態では、伝送フレームとしてＯＤＵ３フレームを用いる。また、システム側インタフェース部１３は、通信障害を検出し、切替制御部１５に通知する。
システム側予備インタフェース部１４は、システム側インタフェース部１３と同様に、クロスコネクト部１２から入力された複数の収容フレームを伝送フレームに多重して対向する他方の伝送装置１０に伝送する。また、システム側インタフェース部１３は、対向する伝送装置１０から伝送された伝送フレームのペイロード部分から複数の収容フレームを読み出し、それぞれをクロスコネクト部１２に出力する。
切替制御部１５は、クロスコネクト部１２による収容フレームの転送先、及びシステム側予備インタフェース部１４の多重・分解機能を切り替える。
【００１５】
図２は、本発明の一実施形態による伝送装置１０の構成を示す概略ブロック図である。
クライアント側インタフェース部１１は、クライアント信号受信部１１１、収容部１１２、展開部１１３、クライアント信号送信部１１４を備えている。
クライアント信号受信部１１１は、クライアント装置からクライアント信号を受信する。
収容部１１２は、クライアント信号受信部１１１が受信したクライアント信号を、当該クライアント信号の伝送速度に応じた収容フレームのペイロード部分に収容し、クロスコネクト部１２に出力する。
【００１６】
ここで、クライアント信号の伝送速度に応じた収容フレームとは、クライアント信号の伝送速度に最も近く、かつ当該伝送速度以上のペイロード容量を有する形式の収容フレームのことをいう。例えば、１ＧｂｐｓのＥｔｈｅｒｎｅｔ（登録商標）信号は、約１．２５Ｇｂｐｓの帯域を有するＯＤＵ０フレームに収容される。ＳＴＭ−１６信号は、２．５Ｇｂｐｓの帯域を有するＯＤＵ１フレームに収容される。さらに、ＳＴＭ−６４や１０ＧｂｐｓのＥｔｈｅｒｎｅｔ（登録商標）信号は、１０Ｇｂｐｓの帯域を有するＯＤＵ２フレームに収容される。
このように、クライアント信号を伝送速度に応じた収容フレームに収容することで、クライアント装置から受信したクライアント信号を、同等の速度でクロスコネクト部１２に出力することができる。
【００１７】
なお、クライアント側インタフェース部１１がクライアント装置から入力されるクライアント信号の伝送速度及び収容フレームの形式は、クライアント側インタフェース部１１毎に異なる。例えば、あるクライアント側インタフェース部１１は、クライアント装置から１ＧｂｐｓのＥｔｈｅｒｎｅｔ（登録商標）信号などの１．２５Ｇｂｐｓ以下の帯域を有する信号が入力され、その入力された信号をＯＤＵ０フレームに収容する。
他方、あるクライアント側インタフェース部１１は、クライアント装置からＳＴＭ−１６信号などの１．２５Ｇｂｐｓ以上２．５Ｇｂｐｓ以下の帯域を有する信号が入力され、その入力された信号をＯＤＵ１フレームに収容する。
また、あるクライアント側インタフェース部１１は、クライアント装置からＳＴＭ−６４信号などの２．５Ｇｂｐｓ以上５Ｇｂｐｓ以下の帯域を有する信号が入力され、その入力された信号をＯＤＵ２フレームに収容する。
このように、クライアント側インタフェース部１１に入力される信号の種別及び収容フレームの形式を限定することで、クライアント側インタフェース部１１の構成を簡略化することができ、製造コストを抑えることが出来る。
【００１８】
システム側インタフェース部１３は、多重部１３１、伝送フレーム送信部１３２、伝送フレーム受信部１３３、分離部１３４を備える。
多重部１３１は、クロスコネクト部１２から入力された収容フレームを、伝送フレームに時分割多重する。なお、システム側インタフェース部１３で多重される収容フレームの形式は予め所定の形式に決められている。多重部１３１はその所定の形式の収容フレームを伝送フレームに多重する機能のみを有する。具体的には、あるシステム側インタフェース部１３に入力される収容フレームがＯＤＵ１フレームである場合、多重部１３１は、ＯＤＵ１フレームを伝送フレームであるＯＤＵ３フレームに多重するために必要なオーバーヘッドを付加するオーバーヘッド付加部と、オーバーヘッドを付加したＯＤＵ１フレームをＯＤＵ３フレームに多重する多重処理部とを備えている。しかし、多重部１３１は、ＯＤＵ０フレームにオーバーヘッドを付加する機能や、ＯＤＵ０フレームをＯＤＵ３フレームに多重する機能を備えていない。このように、多重部１３１の機能を、システム側インタフェース部１３に入力される伝送フレームの形式に対応するものに限定することで、システム側インタフェース部１３の構成を簡略化することができ、製造コストを抑えることができる。
伝送フレーム送信部１３２は、多重部１３１が生成した伝送フレームを対向する伝送装置１０の、対応するシステム側インタフェース部１３に送信する。
【００１９】
伝送フレーム受信部１３３は、対向する伝送装置１０の、対応するシステム側インタフェース部１３から伝送フレームを受信する。また、伝送フレーム受信部１３３は、通信の障害を検知し、切替制御部１５に通信の障害を通知する。
分離部１３４は、伝送フレーム受信部１３３が受信した伝送フレームから収容フレームを分離する。なお、多重部１３１と同様に、システム側インタフェース部１３が受信する伝送フレームに含まれる収容フレームの形式は予め所定の形式に決められており、分離部１３４は伝送フレームからその所定の形式の収容フレームを分離する機能のみを有する。
【００２０】
システム側予備インタフェース部１４は、予備多重部１４１、予備伝送フレーム送信部１４２、予備伝送フレーム受信部１４３、予備分離部１４４、多重分離マップ切替制御部１４５を備えている。
予備多重部１４１は、クロスコネクト部１２から入力された収容フレームを、伝送フレームに時分割多重する。なお、予備多重部１４１は、システム側インタフェース部１３がサポートする形式の収容フレームを伝送フレームに多重する機能を有する。具体的には、あるシステム側インタフェース部１３に入力される収容フレームがＯＤＵ１フレームであり、別のシステム側インタフェース部１３に入力される収容フレームがＯＤＵ０フレームである場合、多重部１４１は、ＯＤＵ１フレームを伝送フレームであるＯＤＵ３フレームに多重する機能とＯＤＵ０フレームを伝送フレームであるＯＤＵ３フレームに多重する機能とを有する。
予備伝送フレーム送信部１４２は、予備多重部１４１が生成した伝送フレームを、対向する伝送装置１０のシステム側予備インタフェース部１４に送信する。
予備伝送フレーム受信部１４３は、対向する伝送装置１０のシステム側予備インタフェース部１４から伝送フレームを受信する。
予備分離部１４４は、予備伝送フレーム受信部１４３が受信した伝送フレームから収容フレームを分離する。なお、予備分離部１４４は、予備多重部１４１と同様に、システム側インタフェースがサポートする形式の伝送フレームから収容フレームを分離する機能を有する。
多重分離マップ切替制御部１４５は、切替制御部１５から多重処理及び分離処理の対象となる伝送フレームの形式（ＯＤＵ０フレーム、ＯＤＵ１フレーム、またはＯＤＵ２フレーム）を入力し、予備多重部１４１、予備分離部１４４に当該形式の伝送フレームに対する多重処理及び分離処理を命令する。
【００２１】
切替制御部１５は、障害検出部１５１、記憶部１５２、クロスコネクト切替部１５３、多重分離切替部１５４を備える。
障害検出部１５１は、システム側インタフェース部１３から通信障害の通知を受けることで障害を検出し、障害が発生したシステム側インタフェース部１３を特定するシステム側インタフェースＩＤをクロスコネクト切替部１５３及び多重分離切替部１５４に出力する。
【００２２】
図３は、記憶部１５２が記憶するテーブルの一例を示す図である。
記憶部１５２は、クライアント側インタフェース部１１を特定するクライアント側インタフェースＩＤと当該クライアント側インタフェース部１１が出力する収容フレームのタイムスロットとの組に関連付けて、当該収容フレームのペイロード容量、当該収容フレームを時分割多重させるシステム側インタフェース部１３のシステム側インタフェースＩＤ、及び当該システム側インタフェース部１３に収容フレームを出力する際のタイムスロットを記憶する。
【００２３】
クロスコネクト切替部１５３は、障害検出部１５１から入力されたシステム側インタフェースＩＤに関連付けられたクライアント側インタフェースＩＤと、タイムスロットとの組が示す収容フレームを、システム側予備インタフェース部１４へ送信するように切り替えさせるクロスコネクト切替命令を、クロスコネクト部１２に出力する。
多重分離切替部１５４は、障害検出部１５１から入力されたシステム側インタフェースＩＤに関連付けられた形式の収容フレームを時分割多重・分離させる多重分離切替命令を、システム側予備インタフェース部１４に出力する。
【００２４】
そして、伝送装置１０が上記構成を備えることで、収容部１１２は、入力したクライアント信号をペイロード部分に収容した、所定の形式の収容フレーム（ＯＤＵ１フレーム、ＯＤＵ２フレーム、またはＯＤＵ３フレーム）を生成し、クロスコネクト部１２は、収容部１１２が生成した収容フレームを、記憶部１５２が当該収容フレームの形式に関連付けて記憶する識別情報が示す多重部１３１に出力する。そして、複数の多重部１３１は、それぞれクロスコネクト部１２から入力された収容フレームを時分割多重し、伝送フレーム送信部１３２は、多重部１３１が多重した伝送フレームを他の装置に送信する。
また、多重部１３１の何れか１つが故障した場合、クロスコネクト部１２は、収容部１１２が生成した収容フレームのうち、形式が、故障した多重部１３１の識別情報に関連付けて記憶部１５２が記憶する収容フレームの形式と合致するもの（収容フレーム）を、予備多重部１４１に出力する。そして、予備多重部１４１は、クロスコネクト部１２から入力された収容フレームを、所定の伝送フレームのペイロード部分に時分割多重し、予備伝送フレーム送信部１４２は、予備多重部１４１が多重した伝送フレームを他の装置に送信する。
これにより、伝送装置１０は、多重部１３１と予備多重部１４１とを一対一に備える必要がないので、伝送装置１０に備える予備系通信路の数を削減することができる。
【００２５】
図４は、システム側予備インタフェース部１４の構成を示す概略ブロック図である。
システム側予備インタフェース部１４の予備多重部１４１は、収容フレーム受信部１４１０と収容フレーム多重部１４２０とを備えている。
収容フレーム受信部１４１０は、クロスコネクト部１２を介してクライアント側インタフェース部１１から収容フレームを受信する。
収容フレーム多重部１４２０は、収容フレーム受信部１４１０が受信した収容フレームを伝送フレームに多重して予備伝送フレーム送信部１４２に出力する。
【００２６】
収容フレーム受信部１４１０は、複数のタイミング同期部１４１１を備えている。
タイミング同期部１４１１は、各クライアント側インタフェース部１１に対応して備えられており、各クライアント側インタフェース部１１から送信される信号と同期して収容フレームの受信を行う。
【００２７】
収容フレーム多重部１４２０は、多重方法切替部１４２１、複数のオーバーヘッド付加部１４２２（ＯＤＵ０３付加部１４２２−１、ＯＤＵ１３付加部１４２２−２、ＯＤＵ２３付加部１４２２−３）、多重処理部１４２３を備えている。
多重方法切替部１４２１は、多重分離マップ切替制御部１４５から、多重処理の対象となる伝送フレームの形式を示す多重命令を入力し、当該多重命令が示す伝送フレームに対応するオーバーヘッド付加部１４２２に、収容フレーム受信部１４１０から入力された伝送フレームを出力する。
ＯＤＵ０３付加部１４２２−１は、ＯＤＵ０フレームをＯＤＵ３フレームに多重する際に必要となるオーバーヘッドを付加する。収容フレーム多重部１４２０は、少なくとも、各システム側インタフェース部１３に入力されるＯＤＵ０フレームの数のうち最も多いものと同数のＯＤＵ０３付加部１４２２−１を備えている。
ＯＤＵ１３付加部１４２２−２は、ＯＤＵ１フレームをＯＤＵ３フレームに多重する際に必要となるオーバーヘッドを付加する。収容フレーム多重部１４２０は、少なくとも、各システム側インタフェース部１３に入力されるＯＤＵ１フレームの数のうち最も多いものと同数のＯＤＵ１３付加部１４２２−２を備える。
ＯＤＵ２３付加部１４２２−３は、ＯＤＵ２フレームをＯＤＵ３フレームに多重する際に必要となるオーバーヘッドを付加する。収容フレーム多重部１４２０は、少なくとも、各システム側インタフェース部１３に入力されるＯＤＵ２フレームの数のうち最も多いものと同数のＯＤＵ２３付加部１４２２−３を備える。
多重処理部１４２３は、多重分離マップ切替制御部１４５から入力された多重命令に従って、オーバーヘッド付加部１４２２から出力された伝送フレームを時分割多重し、予備伝送フレーム送信部１４２に出力する。
【００２８】
システム側予備インタフェース部１４の予備分離部１４４は、収容フレーム分離部１４３０と収容フレーム送信部１４４０とを備える。
収容フレーム分離部１４３０は、予備伝送フレーム受信部１４３が受信した伝送フレームを複数の収容フレームに分離し、収容フレーム送信部１４４０に出力する。
収容フレーム送信部１４４０は、クロスコネクト部１２を介してクライアント側インタフェース部１１へ収容フレームを送信する。
【００２９】
収容フレーム分離部１４３０は、分離処理部１４３１、複数のオーバーヘッド除去部１４３２（ＯＤＵ３０除去部１４３２−１、ＯＤＵ３１除去部１４３２−２、ＯＤＵ３２除去部１４３２−３）、分離方法切替部１４３３を備える。
分離処理部１４３１は、予備伝送フレーム受信部１４３から入力された伝送フレームを複数のＯＤＵフレームに分離する。また、分離処理部１４３１は、多重分離マップ切替制御部１４５から、分離処理の対象となる収容フレームの形式を示す分離命令を入力し、分離命令が示す収容フレームに対応するオーバーヘッド除去部１４３２に対応する伝送フレームを出力する。
ＯＤＵ３０除去部１４３２−１は、分離処理部１４３１から入力されたＯＤＵ０フレームから伝送フレームに多重するために必要なオーバーヘッドを除去する。収容フレーム分離部１４３０は、少なくとも、各システム側インタフェース部１３が出力するＯＤＵ０フレームの数のうち最も多いものと同数のＯＤＵ３０除去部１４３２−１を備える。
ＯＤＵ３１除去部１４３２−２は、分離処理部１４３１から入力されたＯＤＵ１フレームから伝送フレームに多重するために必要なオーバーヘッドを除去する。収容フレーム分離部１４３０は、少なくとも、各システム側インタフェース部１３が出力するＯＤＵ１フレームの数のうち最も多いものと同数のＯＤＵ３１除去部１４３２−２を備える。
ＯＤＵ３２除去部１４３２−３は、分離処理部１４３１から入力されたＯＤＵ２フレームから伝送フレームに多重するために必要なオーバーヘッドを除去する。収容フレーム分離部１４３０は、少なくとも、各システム側インタフェース部１３が出力するＯＤＵ２フレームの数のうち最も多いものと同数のＯＤＵ３２除去部１４３２−３を備える。
分離方法切替部１４３３は、多重分離マップ切替制御部１４５から、分離命令を入力し、当該分離命令が示す収容フレームに対応するオーバーヘッド除去部１４３２から収容フレームを入力し、当該収容フレームを収容フレーム送信部１４４０に出力する。
【００３０】
収容フレーム送信部１４４０は、複数のタイミング同期部１４４１を備える。
タイミング同期部１４４１は、各クライアント側インタフェース部１１に対応して備えられており、各クライアント側インタフェース部１１に送信する収容フレームに対応する周波数の搬送波を再生し、当該搬送波に乗せて収容フレームを送信する。
【００３１】
なお、図４に示すように、システム側予備インタフェース部１４の収容フレーム多重部１４２０は、あらゆる多重階梯に対応できるよう、伝送装置１０で用いる多重階梯に対応するオーバーヘッド付加部１４２２及びオーバーヘッド除去部１４３２を備えている。他方、システム側インタフェース部１３は、伝送装置１０の回路の複雑化を防止する目的から、自身が扱う多重階梯に対応するオーバーヘッド付加部及びオーバーヘッド除去部のみを備える。
【００３２】
次に、上記構成を有する伝送システムの動作について説明する。ここでは、伝送装置１０−１に接続されたクライアント装置が伝送装置１０−２に接続されたクライアント装置にデータを送信する場合を例として説明する。
図５は、伝送路に障害がない場合における伝送システムの動作を示すシーケンス図である。
まず、クライアント装置が伝送装置１０−１にクライアント信号を送信すると、伝送装置１０−１のクライアント側インタフェース部１１のクライアント信号受信部１１１は、それぞれ接続されたクライアント装置からクライアント信号を受信し（ステップＳ１）、収容部１１２に出力する。次に、収容部１１２は、クライアント信号受信部１１１から入力されたクライアント信号を、収容フレームのペイロード部分に収容し（ステップＳ２）、クロスコネクト部１２に出力する。
【００３３】
次に、クロスコネクト部１２は、切替制御部１５の記憶部１５２が記憶するテーブルを参照し、クライアント側インタフェース部１１のそれぞれから入力された収容フレームを、当該クライアント側インタフェース部１１のクライアント側インタフェースＩＤに関連付けられたシステム側インタフェースＩＤが示すシステム側インタフェース部１３に出力する（ステップＳ３）。
【００３４】
次に、システム側インタフェース部１３の多重部１３１は、クロスコネクト部１２から入力された複数の収容フレームを伝送フレームのペイロード部分に時分割多重し（ステップＳ４）、伝送フレーム送信部１３２に出力する。次に、伝送フレーム送信部１３２は、多重部１３１から入力された伝送フレームを、伝送装置１０−２に送信する（ステップＳ５）。
【００３５】
伝送装置１０−１が伝送フレームを送信すると、伝送装置１０−２のシステム側インタフェース部１３の伝送フレーム受信部１３３は、伝送装置１０−１から伝送フレームを受信し（ステップＳ６）、分離部１３４に出力する。次に、分離部１３４は、伝送フレーム受信部１３３から入力された伝送フレームから収容フレームを分離し（ステップＳ７）、クロスコネクト部１２に出力する。
【００３６】
次に、クロスコネクト部１２は、切替制御部１５の記憶部１５２が記憶するテーブルを参照し、システム側インタフェース部１３のそれぞれから入力された収容フレームを、当該システム側インタフェース部１３のシステム側インタフェースＩＤに関連付けられたクライアント側インタフェースＩＤが示すクライアント側インタフェース部１１に出力する（ステップＳ８）。
【００３７】
次に、クライアント側インタフェース部１１の展開部１１３は、クロスコネクト部１２から入力された収容フレームを展開し、クライアント信号を再現する（ステップＳ９）。次に、クライアント信号送信部１１４は、展開部１１３が再現したクライアント信号を、クライアント装置に送信する（ステップＳ１０）。
上述した処理により、伝送システムは、クライアント装置間のクライアント信号の伝送を行う。
【００３８】
次に、伝送路に障害が発生したときの伝送システムの動作について説明する。
図６は、伝送路に障害が発生したときの伝送システムの動作を示すフローチャートである。
伝送路に障害が発生すると、当該伝送路を介して通信を行う伝送装置１０のシステム側インタフェース間での通信ができなくなる。そのため、伝送装置１０のシステム側インタフェースの伝送フレーム受信部１３３は、対向する伝送装置１０との通信が出来ないことを検知することで障害の発生を検知し（ステップＳ１１）、切替制御部１５の障害検出部１５１に障害の発生を通知する（ステップＳ１２）。
【００３９】
次に、切替制御部１５の障害検出部１５１は、障害を検出したシステム側インタフェース部１３のシステム側インタフェースＩＤを特定し（ステップＳ１３）、クロスコネクト切替部１５３と多重分離切替部１５４とに、当該システム側インタフェースＩＤを通知する。次に、クロスコネクト切替部１５３は、通知されたシステム側インタフェースＩＤに関連付けられたクライアント側インタフェースＩＤとタイムスロットとを記憶部１５２から読み出し、障害が発生したシステム側インタフェース部１３に転送する収容フレームを特定する（ステップＳ１４）。次に、クロスコネクト切替部１５３は、特定した収容フレームをシステム側予備インタフェース部１４に転送させる転送命令をクロスコネクト部１２に出力する（ステップＳ１５）。
【００４０】
また、多重分離切替部１５４は、通知されたシステム側インタフェースＩＤに関連付けられた収容フレームの形式を記憶部１５２から読み出す（ステップＳ１６）。次に、多重分離切替部１５４は、読み出した形式の収容フレームを時分割多重・分離させる多重分離切替命令をシステム側予備インタフェース部１４の多重分離マップ切替制御部１４５に出力する（ステップＳ１７）。そして、多重分離マップ切替制御部１４５は、当該多重分離切替命令を、予備多重部１４１の収容フレーム多重部１４２０の多重方法切替部１４２１（図４）及び予備分離部１４４の収容フレーム分離部１４３０の分離方法切替部１４３３に出力する。
これにより、障害が発生したシステム側インタフェース部１３に転送されるべき収容フレームをシステム側予備インタフェース部１４に転送することができ、また、システム側予備インタフェース部１４では、転送された収容フレームを伝送フレームに時分割多重することができる。
【００４１】
次に、伝送路に障害が発生した後の伝送システムの動作について説明する。
図７は、伝送路に障害が発生した後の伝送システムの動作を示すシーケンス図である。
まず、クライアント装置が伝送装置１０−１にクライアント信号を送信すると、伝送装置１０−１のクライアント側インタフェース部１１のクライアント信号受信部１１１は、それぞれ接続されたクライアント装置からクライアント信号を受信し（ステップＳ２１）、収容部１１２に出力する。次に、収容部１１２は、クライアント信号受信部１１１から入力されたクライアント信号を、収容フレームのペイロード部分に収容し（ステップＳ２２）、クロスコネクト部１２に出力する。
【００４２】
次に、クロスコネクト部１２は、クライアント側インタフェース部１１から入力された収容フレームのうち、ステップＳ１５で切替制御部１５のクロスコネクト切替部１５３から入力された転送命令が示す収容フレームを、システム側予備インタフェース部１４に出力する（ステップＳ２３）。また、クロスコネクト部１２は、切替制御部１５の記憶部１５２が記憶するテーブルを参照し、他の収容フレームを、当該クライアント側インタフェース部１１のクライアント側インタフェースＩＤに関連付けられたシステム側インタフェースＩＤが示すシステム側インタフェース部１３に出力する（ステップＳ２４）。
【００４３】
ここで、ステップＳ２４でクロスコネクト部１２から収容フレームを入力したシステム側インタフェース部１３の処理は、上述したステップＳ４以降の処理と同じである。
ここでは、図４及び図７を参照して、ステップＳ２３でクロスコネクト部１２から収容フレームを入力したシステム側予備インタフェースの処理を説明する。
システム側予備インタフェース部１４の予備多重部１４１の収容フレーム受信部１４１０は、タイミング同期部１４１１でクロスコネクト部１２から出力される収容フレームとの同期を行い（ステップＳ２５）、クロスコネクト部１２から当該収容フレームを受信する（ステップＳ２６）。次に、収容フレーム受信部１４１０は、受信した収容フレームを収容フレーム多重部１４２０に出力する。
【００４４】
次に、多重方法切替部１４２１は、多重分離マップ切替制御部１４５から入力された多重分離切替命令が示す収容フレームの形式を読み出し、当該形式に対応するオーバーヘッド付加部１４２２に、収容フレーム受信部１４１０から入力された収容フレームを出力する（ステップＳ２７）。例えば、多重分離切替命令が、８つのＯＤＵ１フレームを多重させることを示す場合、多重方法切替部１４２１は、収容フレーム受信部１４１０から入力された収容フレームを、それぞれ８つのＯＤＵ１３付加部１４２２−２に出力する。
【００４５】
次に、各オーバーヘッド付加部１４２２は、伝送フレームに多重するためのオーバーヘッドを入力した収容フレームに付加し（ステップＳ２８）、多重処理部１４２３に出力する。次に、多重処理部１４２３は、各オーバーヘッド付加部１４２２から入力された収容フレームを伝送フレームに時分割多重し（ステップＳ２９）、予備伝送フレーム送信部１４２に出力する。予備伝送フレーム送信部１４２は、予備多重部１４１から入力された伝送フレームを伝送装置１０−２に送信する（ステップＳ３０）。
【００４６】
伝送装置１０−２の予備伝送フレーム受信部１４３は、伝送装置１０−１から伝送フレームを受信すると（ステップＳ３１）、当該伝送フレームを予備分離部１４４に出力する。予備分離部１４４の収容フレーム分離部１４３０の分離処理部１４３１は、予備伝送フレーム受信部１４３から入力された伝送フレームのペイロード部分から、収容フレームを分離する（ステップＳ３２）。次に、分離処理部１４３１は、多重分離マップ切替制御部１４５から入力された多重分離切替命令が示す収容フレームの形式を読み出し、当該形式に対応するオーバーヘッド除去部１４３２に、分離した各収容フレームを出力する（ステップＳ３３）。
【００４７】
次に、各オーバーヘッド除去部１４３２は、伝送フレームに多重するためのオーバーヘッドを、入力した収容フレームから除去し（ステップＳ３４）、分離方法切替部１４３３に出力する。次に、分離方法切替部１４３３は、多重分離マップ切替制御部１４５から入力された、多重分離命令が示す収容フレームに対応するオーバーヘッド除去部１４３２から収容フレームを入力し、当該収容フレームを収容フレーム送信部１４４０に出力する（ステップＳ３５）。
【００４８】
収容フレーム送信部１４４０のタイミング同期部１４４１は、分離方法切替部１４３３から入力された収容フレームの搬送波の再生を行い（ステップＳ３６）、クロスコネクト部１２へ当該収容フレームを送信する（ステップＳ３７）。
次に、クロスコネクト部１２は、切替制御部１５の記憶部１５２が記憶するテーブルを参照し、システム側インタフェース部１３のそれぞれから入力された収容フレームを、当該システム側インタフェース部１３のシステム側インタフェースＩＤに関連付けられたクライアント側インタフェースＩＤが示すクライアント側インタフェース部１１に出力する（ステップＳ３８）。
【００４９】
次に、クライアント側インタフェース部１１の展開部１１３は、クロスコネクト部１２から入力された収容フレームを展開し、クライアント信号を再現する（ステップＳ３９）。
次に、クライアント信号送信部１１４は、展開部１１３が再現したクライアント信号を、クライアント装置に送信する（ステップＳ４０）。
上述した処理により、伝送システムは、伝送路の障害発生時にも、クライアント装置間のクライアント信号の伝送を行うことができる。
【００５０】
このように、本実施形態によれば、クロスコネクト部１２は、複数のシステム側インタフェース部１３が接続する伝送路の何れか１つが故障した場合、クライアント側インタフェース部１１が生成した収容フレームのうち、形式が、故障したシステム側インタフェースＩＤに関連付けて記憶部１５２が記憶する収容フレームの形式と合致する収容フレームを、システム側予備インタフェース部１４に出力する。そのため、本発明による伝送装置１０は、システム側インタフェース部１３とシステム側予備インタフェース部１４とを一対一に備える必要がなく、伝送装置１０に備える予備系通信路の数を削減することができる。また、クライアント側インタフェース部１１が必ずしも複数の多重階梯に対応する多重部を備える必要が無いため、伝送装置１０の伝送装置のコスト及び消費電力を抑えることができる。
【００５１】
以上、図面を参照してこの発明の一実施形態について詳しく説明してきたが、具体的な構成は上述の例に限定されることはなく、この発明の要旨を逸脱しない範囲内において様々な設計変更等をすることが可能である。
例えば、本実施形態では、システム側インタフェース部１３は、特定の形式の収容フレームのみを入力し、当該収容フレームを伝送フレームに多重する機能のみを有する場合を説明したが、本発明はこれに限定されない。例えば、システム側インタフェース部１３が、複数の形式の収容フレームに、当該収容フレームに応じたオーバーヘッドを付加するオーバーヘッド付加部１４２２を備えている場合、システム側インタフェース部１３は、複数の形式の収容フレームを入力し、当該収容フレームを伝送フレームに多重することができる。
なお、この場合、上述した実施形態よりシステム側インタフェース部１３の構成が複雑となる。
【００５２】
また、本実施形態では、システム側予備インタフェース部１４が、少なくとも、各システム側インタフェース部１３に入力されるＯＤＵ０フレームの数のうち最も多いものと同数のＯＤＵ０３付加部１４２２−１を備え、各システム側インタフェース部１３に入力されるＯＤＵ１フレームの数のうち最も多いものと同数、ＯＤＵ１３付加部１４２２−２を備え、各システム側インタフェース部１３に入力されるＯＤＵ２フレームの数のうち最も多いものと同数のＯＤＵ２３付加部１４２２−３を備える場合を説明したが、本発明はこれに限定されない。例えば、各オーバーヘッド付加部１４２２がキュー等のバッファ機能を備えている場合、収容フレーム多重部１４２０は、各オーバーヘッド付加部１４２２を１つずつ備えていても良い。この場合、多重方法切替部１４２１は、同じ形式の収容フレームを、当該形式に対応する１つのオーバーヘッド付加部１４２２に出力し、オーバーヘッド付加部１４２２は、入力された複数の収容フレームをキューに記憶させる。そして、オーバーヘッド付加部１４２２は、キューから１つずつ収容フレームを取り出し、各収容フレームにオーバーヘッドを付加する。
上述の例と同様に、各オーバーヘッド除去部１４３２がキュー等のバッファ機能を備えている場合、収容フレーム分離部１４３０は、各オーバーヘッド除去部１４３２を１つずつ備えていても良い。
【００５３】
また、本実施形態では、伝送装置１０がシステム側予備インタフェース部１４を１つだけ備える場合を説明したが、本発明はこれに限られず、伝送装置１０は、システム側予備インタフェース部１４を複数備えていても良い。
【００５４】
また、本実施形態では、システム側予備インタフェース部１４が複数の異なる収容フレームを多重できる機能を有し、システム側インタフェース部１３が複数の異なる収容フレームを多重できる機能を有しない場合を説明したが、本発明はこれに限定されず、システム側インタフェース部１３及びシステム側予備インタフェース部１４が複数の異なる収容フレームを多重できる機能を有していても良い。この場合、システム側インタフェース部１３をシステム側予備インタフェース部１４として機能させることができる。
【００５５】
また、本実施形態では、収容フレームとしてＯＤＵ０フレーム、ＯＤＵ１フレーム、ＯＤＵ２フレームを用い、伝送フレームとしてＯＤＵ３フレームを用いる場合を説明したが、本発明はこれに限定されず、ＩＴＵ−Ｔ勧告Ｇ．７０９で定義する如何なるＯＤＵ帯域多重構成に対しても適用することができる。
【００５６】
上述の伝送装置１０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５７】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
本願は、２０１０年９月１６日に、日本に出願された特願２０１０−２０７５４１号に基づき優先権を主張し、その内容をここに援用する。
【符号の説明】
【００５８】
１０    伝送装置
１０−１    伝送装置
１０−２    伝送装置
１１    クライアント側インタフェース部
１２    クロスコネクト部
１３    システム側インタフェース部
１４    システム側予備インタフェース部
１５    切替制御部
１１１    クライアント信号受信部
１１２    収容部
１１３    展開部
１１４    クライアント信号送信部
１３１    多重部
１３２    伝送フレーム送信部
１３３    分離部
１３４    伝送フレーム受信部
１４１    予備多重部
１４２    予備伝送フレーム送信部
１４３    予備分離部
１４４    予備伝送フレーム受信部
１４５    多重分離マップ切替制御部
１５１    障害検出部
１５２    記憶部
１５３    クロスコネクト切替部
１５４    多重分離切替部
１４１０    収容フレーム受信部
１４１１    タイミング同期部
１４２０    収容フレーム多重部
１４２１    多重方法切替部
１４２２    オーバーヘッド付加部
１４２２−１    ＯＤＵ０３付加部
１４２２−２    ＯＤＵ１３付加部
１４２２−３    ＯＤＵ２３付加部
１４２３    多重処理部
１４３０    収容フレーム分離部
１４３１    分離処理部
１４３２    オーバーヘッド除去部
１４３２−１    ＯＤＵ３０除去部
１４３２−２    ＯＤＵ３１除去部
１４３２−３    ＯＤＵ３２除去部
１４３３    分離方法切替部
【図１】
2012036027.tif 000003
【図２】
2012036027.tif 000004
【図３】
2012036027.tif 000005
【図４】
2012036027.tif 000006
【図５】
2012036027.tif 000007
【図６】
2012036027.tif 000008
【図７】
2012036027.tif 000009
【国際調査報告】
2012036027.tif 000010
2012036027.tif 000011